(57)【要約】      （修正有）【課題】セキュリティを確保しながら情報記録媒体を再利用する。【解決手段】ＩＣカードにリライタブルフィルムを貼り付け、リライタブルフィルム印刷部２３がＩＣカードの券面印刷事項を書き換える。ＩＣチップへの書き込み情報についても、ＩＣ書換部２４が、身分の証明を受ける者自体の情報を変更する。身分証の作成時には、リライタブルフィルム印刷部２３がＩＣカードに券面印刷を行い、同時にＩＣ書換部２４によるＩＣチップへのデータの書き込み、通信部２８による入退室システム等のＩＣカード関連システムへの通知を行う。また、身分証の返却時には、リライタブルフィルム印刷部２３が券面印刷を消去し、同時にＩＣ書換部２４によるＩＣチップのデータ消去、通信部２８による関連システムへの通知を行う。セキュリティを確保しながら、券面印刷の消去及びＩＣチップのデータ消去がなされたＩＣカードを再利用して身分証を作成する。【選択図】図４
2007058572.tif 000002
【特許請求の範囲】
【請求項１】
身分証に利用されるＩＣカードを再利用するＩＣカード再利用システムであって、
ＩＣカードを利用した身分証を作成する身分証作成装置と、ＩＣカードから読み取った情報に基づきユーザ認証を行うユーザ認証装置と、が通信ネットワークを介して接続され、
前記身分証作成装置は、
可視情報の印刷及び消去が可能な表示部を備えたＩＣカードに身分の証明を受ける者を識別するための個人識別情報を記録し、該ＩＣカードの前記表示部に該個人識別情報に対応する身分証情報を印刷する情報書込手段と、
前記情報書込手段がＩＣカードに記録した個人識別情報を前記通信ネットワークを介して前記ユーザ認証装置に送信する作成情報送信手段と、
前記情報書込手段により記録及び印刷が行われたＩＣカードを身分証として排出する身分証排出手段と、
操作者の操作に応じて、前記身分証排出手段が排出したＩＣカードを取得する取得手段と、
前記取得手段が取得したＩＣカードに記録されている個人識別情報を消去し、該取得したＩＣカードの前記表示部に印刷されている身分証情報を消去する情報消去手段と、
前記情報消去手段が消去した個人識別情報を前記通信ネットワークを介して前記ユーザ認証装置に送信する消去情報送信手段と、を備え、
前記ユーザ認証装置は、
前記作成情報送信手段からＩＣカードに記録された個人識別情報を受信したときに、該受信した個人識別情報に基づくユーザ認証を開始するユーザ認証開始手段と、
前記消去情報送信手段からＩＣカードから削除された個人識別情報を受信したときに、該受信した個人識別情報に基づくユーザ認証を終了するユーザ認証終了手段と、を備え、
前記情報書込手段は、前記情報消去手段により個人識別情報及び身分証情報が消去されたＩＣカードに個人識別情報を記録し、身分証情報を印刷する、
ことを特徴とするＩＣカード再利用システム。
【請求項２】
前記情報書込手段により身分証情報が印刷される前記表示部が、ＩＣカードに貼付された可視情報の印刷及び消去が可能な表示フィルムである、
ことを特徴とする請求項１に記載のＩＣカード再利用システム。
【請求項３】
前記ユーザ認証装置が、さらに、
ＩＣカードに記録されている情報を読み取る情報読取手段と、
所定のユーザ利用システムの利用権限を有する者の個人識別情報を記憶する個人識別情報記憶手段と、
前記情報読取手段が読み取った情報が、前記個人識別情報記憶手段に記憶されているか否かを判別することによりユーザ認証を行うユーザ認証手段と、を備え、
前記ユーザ認証開始手段は、前記作成情報送信手段から受信した個人識別情報を、前記個人識別情報記憶手段に追加し、
前記ユーザ認証終了手段は、前記消去情報送信手段から受信した個人識別情報を、前記個人識別情報記憶手段から消去する、
ことを特徴とする請求項１又は２に記載のＩＣカード再利用システム。
【請求項４】
情報記録媒体に、該情報記録媒体の所持者を識別するための所持者識別情報を電磁的に記録するとともに、該所持者識別情報に対応する所持者情報を印刷して、所持者識別証を作成する所持者識別証作成装置と、前記所持者識別証から読み取った前記所持者識別情報に基づきユーザ認証を行うユーザ認証装置と、が通信ネットワークを介して接続されるシステムを用いて、情報記録媒体を再利用する情報記録媒体再利用方法であって、
前記所持者識別証作成装置が、電磁情報の記録及び消去が可能なメモリ部と可視情報の印刷及び消去が可能な表示部とを備える情報記録媒体の該表示部に所持者情報を可視情報として印刷し、該メモリ部に所持者識別情報を電磁情報として記録する情報書込ステップと、
前記所持者識別証作成装置が、前記情報書込ステップで前記メモリ部に記録した所持者識別情報を前記ユーザ認証装置に送信する書込情報送信ステップと、
前記ユーザ認証装置が、前記書込情報送信ステップで送信された所持者識別情報を受信し、該受信した所持者識別情報に基づくユーザ認証を開始するユーザ認証開始ステップと、
前記所持者識別証作成装置が、前記情報書込ステップで印刷及び記録が行われた情報記録媒体を排出する排出ステップと、
前記所持者識別証作成装置が、操作者の操作に応じて、前記排出ステップで排出された情報記録媒体を取得する取得ステップと、
前記所持者識別証作成装置が、前記取得ステップで取得した情報記録媒体の前記表示部に印刷されている所持者情報を消去し、前記メモリ部に記録されている所持者識別情報を消去する情報消去ステップと、
前記所持者識別証作成装置が、前記情報消去ステップで消去した所持者識別情報を前記ユーザ認証装置に送信する消去情報送信ステップと、
前記ユーザ認証装置が、前記消去情報送信ステップで送信された所持者識別情報を受信し、該受信した所持者識別情報に基づくユーザ認証を終了するユーザ認証終了ステップと、
前記所持者識別証作成装置が、前記情報消去ステップで所持者情報及び所持者識別情報を消去した情報記録媒体の前記表示部に所持者情報を印刷し、前記メモリ部に所持者識別情報を記録する再情報書込ステップと、
有することを特徴とする情報記録媒体再利用方法。
【請求項５】
前記情報書込ステップで所持者情報が印刷される前記表示部が、情報記録媒体に貼付された可視情報の印刷及び消去が可能な表示フィルムである、
ことを特徴とする請求項４に記載の情報記録媒体再利用方法。
【請求項６】
情報記録媒体を所持する者を識別するための所持者識別情報が電磁的に記録されるとともに、該所持者識別情報に対応する所持者情報が印刷される情報記録媒体を再利用する情報記録媒体再利用装置であって、
電磁情報の記録及び消去が可能なメモリ部と可視情報の印刷及び消去が可能な表示部とを備える情報記録媒体の該表示部に所持者情報を可視情報として印刷し、該メモリ部に所持者識別情報を電磁情報として記録する情報書込手段と、
情報記録媒体の前記メモリ部から読み取った所持者識別情報に基づきユーザ認証を行うユーザ認証装置において前記情報書込手段により記録された所持者識別情報に基づくユーザ認証を開始させるために、前記情報書込手段が前記メモリ部に記録した所持者識別情報を前記ユーザ認証装置に送信する書込情報送信手段と、
前記情報書込手段により印刷及び記録が行われた情報記録媒体を排出する排出手段と、
操作者の操作に応じて、前記排出手段が排出した情報記録媒体を取得する取得手段と、
前記取得手段が取得した情報記録媒体の前記表示部に印刷されている所持者情報を消去し、前記メモリ部に記録されている所持者識別情報を消去する情報消去手段と、
前記ユーザ認証装置において前記情報消去手段により消去された所持者識別情報に基づくユーザ認証を終了させるために、前記情報消去手段が消去した所持者識別情報を前記ユーザ認証装置に送信する消去情報送信手段と、を備え、
前記情報書込手段は、前記情報消去手段により所持者情報及び所持者識別情報が消去された情報記録媒体に所持者情報を印刷し、所持者識別情報を記録する、
ことを特徴とする情報記録媒体再利用装置。
【請求項７】
前記情報書込手段により所持者情報が印刷される前記表示部が、情報記録媒体に貼付された可視情報の印刷及び消去が可能な表示フィルムである、
ことを特徴とする請求項６に記載の情報記録媒体再利用装置。
【発明の詳細な説明】
【技術分野】
【０００１】
本発明は、情報記録媒体の再利用システム等に関し、特に、身分証として利用されるＩＣカードを再利用するためのＩＣカード再利用システム等に関する。
【背景技術】
【０００２】
情報記録媒体の一種であるＩＣカードを身分証として利用する場合、身分証所持者の身分の期限が満了すると、セキュリティ対策等のため、その者に発行したＩＣカードの身分証を破棄する必要がある。
例えば、ＩＣカードの身分証を従業者毎に発行する会社においては、従業者が退職すると、退職した従業者の身分の証明を終了するために、退職した従業者からＩＣカードの身分証を回収し、ＩＣ部分にハサミを入れてゴミとして破棄している。
【０００３】
また、ＩＣカードは、身分証としてだけではなく、他の用途にも利用される。例えば、ＩＣカードを、空港内における入場者の移動軌跡の把握に利用する技術がある（例えば、特許文献１参照）。この技術においては、ＩＣカードに記録されている情報を読み取るＩＣカードリーダを空港内の各所に配置する。そして、空港入口でＩＣカードを入場券として配布して入場者に常に携帯させることにより、空港内での入場者の移動軌跡を把握する。また、ＩＣカードをリライタブルとして、搭乗手続時にはＩＣカードを入場券から搭乗券に書き換える。また、空港出口において、入場者がＩＣカードを持ち帰らない場合には回収し、再利用する。
【０００４】
また、情報記録媒体の再利用に関しては、書き換え可能な表示領域とＩＣタグとを備えた情報記録媒体を生産工程の管理に利用する発明もある（例えば、特許文献２参照）。この発明においては、１つの情報記録媒体の表示領域を、工程毎にその工程に応じた工程管理情報及び工程間伝達情報に書き換えながら使用して、効率的な工程管理業務を行う。
【特許文献１】特開２００２−１１７１１３号公報
【特許文献２】特開２００４−２９５４０１号公報
【発明の開示】
【発明が解決しようとする課題】
【０００５】
ところで、身分の証明を終了する時にＩＣカードの身分証を破棄する理由は、身分の証明を受ける者の氏名、顔写真等からなる券面印刷事項の書き換えができないためである。また、ＩＣカードの身分証に埋め込まれているＩＣチップに情報を書き込むシステムも、身分の証明を受ける者自体の情報を変更することは考慮していない設計となっているため、不要になったＩＣカードの身分証は破棄されている。
【０００６】
このような理由から明らかなように、身分の証明を終了するためにＩＣカードの身分証が破棄される場合、ＩＣカード自体が破損や故障しているために破棄されている訳ではない。
つまり、ＩＣカードの身分証を破棄することは、ＩＣカード自体やその中に埋め込まれているＩＣチップは利用可能であるにもかかわらず、ＩＣカードを破棄していることになり、資源の無駄遣いとなっている。
【０００７】
また、身分証の破棄においては、不要になった身分証は個人で破棄すればよいとの考えの下で回収が徹底されない恐れや、ＩＣカードの身分証により身分の認証等を行うＩＣカード関連システムへ破棄情報が連絡されない恐れもあり、このような場合には、ＩＣカード関連システムのセキュリティが低下する。
【０００８】
また、上記特許文献１及び上記特許文献２に開示の技術はそれぞれ、移動軌跡の把握や生産工程の管理にＩＣカードを利用するものであり、これらのＩＣカードが持つ情報は、身分証としてのＩＣカードが持つ情報とは異なり、破棄情報がＩＣカード関連システムへ連絡されなければセキュリティ低下の恐れを生ずるようなものではない。そのため、上記特許文献１及び上記特許文献２には、セキュリティを確保しながらＩＣカードを再利用する技術は開示されていない。
【０００９】
本発明は、上記実情に鑑みてなされたものであり、セキュリティを確保しながらＩＣカード等の情報記録媒体を再利用することができるＩＣカード再利用システム等を提供することを目的とする。
【課題を解決するための手段】
【００１０】
上記目的を達成するため、この発明の第１の観点に係るＩＣカード再利用システムは、
身分証に利用されるＩＣカードを再利用するＩＣカード再利用システムであって、
ＩＣカードを利用した身分証を作成する身分証作成装置と、ＩＣカードから読み取った情報に基づきユーザ認証を行うユーザ認証装置と、が通信ネットワークを介して接続され、
前記身分証作成装置は、
可視情報の印刷及び消去が可能な表示部を備えたＩＣカードに身分の証明を受ける者を識別するための個人識別情報を記録し、該ＩＣカードの前記表示部に該個人識別情報に対応する身分証情報を印刷する情報書込手段と、
前記情報書込手段がＩＣカードに記録した個人識別情報を前記通信ネットワークを介して前記ユーザ認証装置に送信する作成情報送信手段と、
前記情報書込手段により記録及び印刷が行われたＩＣカードを身分証として排出する身分証排出手段と、
操作者の操作に応じて、前記身分証排出手段が排出したＩＣカードを取得する取得手段と、
前記取得手段が取得したＩＣカードに記録されている個人識別情報を消去し、該取得したＩＣカードの前記表示部に印刷されている身分証情報を消去する情報消去手段と、
前記情報消去手段が消去した個人識別情報を前記通信ネットワークを介して前記ユーザ認証装置に送信する消去情報送信手段と、を備え、
前記ユーザ認証装置は、
前記作成情報送信手段からＩＣカードに記録された個人識別情報を受信したときに、該受信した個人識別情報に基づくユーザ認証を開始するユーザ認証開始手段と、
前記消去情報送信手段からＩＣカードから削除された個人識別情報を受信したときに、該受信した個人識別情報に基づくユーザ認証を終了するユーザ認証終了手段と、を備え、
前記情報書込手段は、前記情報消去手段により個人識別情報及び身分証情報が消去されたＩＣカードに個人識別情報を記録し、身分証情報を印刷する、
ことを特徴とする。
【００１１】
前記情報書込手段により身分証情報が印刷される前記表示部が、ＩＣカードに貼付された可視情報の印刷及び消去が可能な表示フィルムである、
ようにしてもよい。
【００１２】
前記ユーザ認証装置が、さらに、
ＩＣカードに記録されている情報を読み取る情報読取手段と、
所定のユーザ利用システムの利用権限を有する者の個人識別情報を記憶する個人識別情報記憶手段と、
前記情報読取手段が読み取った情報が、前記個人識別情報記憶手段に記憶されているか否かを判別することによりユーザ認証を行うユーザ認証手段と、を備え、
前記ユーザ認証開始手段は、前記作成情報送信手段から受信した個人識別情報を、前記個人識別情報記憶手段に追加し、
前記ユーザ認証終了手段は、前記消去情報送信手段から受信した個人識別情報を、前記個人識別情報記憶手段から消去する、
ようにしてもよい。
【００１３】
また、この発明の第２の観点に係る情報記録媒体再利用方法は、
情報記録媒体に、該情報記録媒体の所持者を識別するための所持者識別情報を電磁的に記録するとともに、該所持者識別情報に対応する所持者情報を印刷して、所持者識別証を作成する所持者識別証作成装置と、前記所持者識別証から読み取った前記所持者識別情報に基づきユーザ認証を行うユーザ認証装置と、が通信ネットワークを介して接続されるシステムを用いて、情報記録媒体を再利用する情報記録媒体再利用方法であって、
前記所持者識別証作成装置が、電磁情報の記録及び消去が可能なメモリ部と可視情報の印刷及び消去が可能な表示部とを備える情報記録媒体の該表示部に所持者情報を可視情報として印刷し、該メモリ部に所持者識別情報を電磁情報として記録する情報書込ステップと、
前記所持者識別証作成装置が、前記情報書込ステップで前記メモリ部に記録した所持者識別情報を前記ユーザ認証装置に送信する書込情報送信ステップと、
前記ユーザ認証装置が、前記書込情報送信ステップで送信された所持者識別情報を受信し、該受信した所持者識別情報に基づくユーザ認証を開始するユーザ認証開始ステップと、
前記所持者識別証作成装置が、前記情報書込ステップで印刷及び記録が行われた情報記録媒体を排出する排出ステップと、
前記所持者識別証作成装置が、操作者の操作に応じて、前記排出ステップで排出された情報記録媒体を取得する取得ステップと、
前記所持者識別証作成装置が、前記取得ステップで取得した情報記録媒体の前記表示部に印刷されている所持者情報を消去し、前記メモリ部に記録されている所持者識別情報を消去する情報消去ステップと、
前記所持者識別証作成装置が、前記情報消去ステップで消去した所持者識別情報を前記ユーザ認証装置に送信する消去情報送信ステップと、
前記ユーザ認証装置が、前記消去情報送信ステップで送信された所持者識別情報を受信し、該受信した所持者識別情報に基づくユーザ認証を終了するユーザ認証終了ステップと、
前記所持者識別証作成装置が、前記情報消去ステップで所持者情報及び所持者識別情報を消去した情報記録媒体の前記表示部に所持者情報を印刷し、前記メモリ部に所持者識別情報を記録する再情報書込ステップと、
有することを特徴とする。
【００１４】
前記情報書込ステップで所持者情報が印刷される前記表示部が、情報記録媒体に貼付された可視情報の印刷及び消去が可能な表示フィルムである、
ようにしてもよい。
【００１５】
また、この発明の第３の観点に係る情報記録媒体再利用装置は、
情報記録媒体を所持する者を識別するための所持者識別情報が電磁的に記録されるとともに、該所持者識別情報に対応する所持者情報が印刷される情報記録媒体を再利用する情報記録媒体再利用装置であって、
電磁情報の記録及び消去が可能なメモリ部と可視情報の印刷及び消去が可能な表示部とを備える情報記録媒体の該表示部に所持者情報を可視情報として印刷し、該メモリ部に所持者識別情報を電磁情報として記録する情報書込手段と、
情報記録媒体の前記メモリ部から読み取った所持者識別情報に基づきユーザ認証を行うユーザ認証装置において前記情報書込手段により記録された所持者識別情報に基づくユーザ認証を開始させるために、前記情報書込手段が前記メモリ部に記録した所持者識別情報を前記ユーザ認証装置に送信する書込情報送信手段と、
前記情報書込手段により印刷及び記録が行われた情報記録媒体を排出する排出手段と、
操作者の操作に応じて、前記排出手段が排出した情報記録媒体を取得する取得手段と、
前記取得手段が取得した情報記録媒体の前記表示部に印刷されている所持者情報を消去し、前記メモリ部に記録されている所持者識別情報を消去する情報消去手段と、
前記ユーザ認証装置において前記情報消去手段により消去された所持者識別情報に基づくユーザ認証を終了させるために、前記情報消去手段が消去した所持者識別情報を前記ユーザ認証装置に送信する消去情報送信手段と、を備え、
前記情報書込手段は、前記情報消去手段により所持者情報及び所持者識別情報が消去された情報記録媒体に所持者情報を印刷し、所持者識別情報を記録する、
ことを特徴とする。
【００１６】
前記情報書込手段により所持者情報が印刷される前記表示部が、情報記録媒体に貼付された可視情報の印刷及び消去が可能な表示フィルムである、
ようにしてもよい。
【発明の効果】
【００１７】
本発明によれば、セキュリティを確保しながら情報記録媒体を再利用することができる。
【発明を実施するための最良の形態】
【００１８】
以下、本発明の実施の形態を図面を参照して説明する。
本実施の形態では、情報記録媒体を再利用する例として、情報記録媒体の一種であるＩＣカードを身分証に利用する場合のＩＣカード再利用システムについて説明する。
【００１９】
図１は、本発明の実施の形態に係るＩＣカード再利用システムの構成例を示すブロック図である。
図示するように、本実施の形態に係るＩＣカード再利用システムは、身分証発行申請装置１に接続されているＩＣカード再利用装置２と、ユーザ認証装置３と、を備えており、ＩＣカード再利用装置２とユーザ認証装置３とはＬＡＮ（Local Area Network）等の通信ネットワーク４を介して接続されている。
【００２０】
身分証発行申請装置１は、ＩＣカードを利用した身分証を作成する際に、例えば身分証の管理担当者が身分証の発行に必要な情報等を入力し、身分証の発行の申請を行う装置である。
【００２１】
ＩＣカード再利用装置２は、身分証発行申請装置１からの身分証発行申請に応じて、ＩＣカードに、身分の証明を受ける者（身分証所持者）を識別するための個人識別情報等を書き込む（記録する）とともに、その者の身分を証明するための身分証情報（所持者情報）等の券面印刷を行い、ＩＣカードを利用した身分証を作成する。つまり、ＩＣカード再利用装置２は、身分証作成装置としての機能を有する。
【００２２】
また、ＩＣカード再利用装置２は、身分証所持者の身分証明の終了等により不要になったＩＣカードの身分証の返却を受け付け、返却された身分証に書き込まれている情報を消去するとともに券面印刷も消去し、ＩＣカードの身分証から情報の消去を行う。こうして情報の消去が行われたＩＣカードは、新たな身分証の作成に利用される。
【００２３】
さらに、ＩＣカード再利用装置２は、身分証の作成時にはＩＣカードに書き込んだ個人識別情報を、また、身分証からの情報消去時には消去した個人識別情報を、通信ネットワーク４を介してユーザ認証装置３に送信する。
【００２４】
ユーザ認証装置３は、入退室システム、食堂システム等のＩＣカード関連システム（図示せず）に接続されており、ＩＣカードの身分証から読み取った情報に基づいて、ＩＣカード関連システムにおけるユーザ認証を行う装置である。
【００２５】
ユーザ認証装置３は、ＩＣカード再利用装置２から、ＩＣカードに書き込まれた個人識別情報を受信すると、ＩＣカードに書き込まれた個人識別情報に基づくユーザ認証を開始する。
具体的には、例えば、ユーザ認証装置３は、身分証が作成されるとＩＣカードに書き込まれた個人識別情報を受信する。そして、受信後のユーザ認証において、身分証から読み取った情報が受信した個人識別情報であった場合には、その身分証の所持者にはＩＣカード関連システムを利用する権限が有ると判別し、ＩＣカード関連システムの利用を許可する。
【００２６】
また、ユーザ認証装置３は、ＩＣカード再利用装置２から、消去された個人識別情報を受信すると、消去された個人識別情報に基づくユーザ認証を終了する。
具体的には、例えば、ユーザ認証装置３は、身分証から情報が消去されると消去された個人識別情報を受信する。この場合には、受信後のユーザ認証において、身分証から読み取った情報が受信した個人識別情報であることは、その身分証は消去されたはずの情報を有している不正な身分証であることになるため、その身分証の所持者にはＩＣカード関連システムを利用する権限が無いと判別し、ＩＣカード関連システムの利用を禁止する。
【００２７】
ここで、本実施の形態に係るＩＣカード再利用システムに用いるＩＣカードを、図２を用いて説明する。
図２（Ａ）は、本実施の形態に用いるＩＣカードの内部構成を示す図であり、図２（Ｂ）は、本実施の形態に用いるＩＣカードの斜視図であり、図２（Ｃ）は、図２（Ｂ）に示すＩＣカードを利用した身分証の例を示す図である。
【００２８】
図２（Ａ）に示すように、ＩＣカード５の内部には、ＩＣチップ５１及びアンテナ５２が埋め込まれている。ＩＣチップ５１は、情報の書き込み（記録）及び消去が可能なＥＥＰＲＯＭ（Electrically Erasable PROM）等を備えており、情報を書き換え可能に記憶することができる。アンテナ５２は、ＩＣチップ５１と、ＩＣチップ５１への情報の書き込み及びＩＣチップ５１からの情報の読み取りを行うＩＣカードリーダ・ライタと、の間の情報のやりとりを電波を利用して行うためのものである。
【００２９】
また、図２（Ｂ）に示すように、ＩＣカード５の一面には、書き換え印刷が可能なリライタブルフィルム５３が貼り付けられている。リライタブルフィルム５３としては、例えば、ロイコ染料と顕色材とが塗布され、熱の与え方を変化させることにより可視情報の印刷及びその消去を自由に行うことができる表示フィルムを用いる。
【００３０】
そして、図２（Ｃ）に示すように、ＩＣカード５に貼り付けられているリライタブルフィルム５３に、身分の証明を受ける者の氏名や顔写真等からなる身分証としての券面印刷事項（身分証情報）が印刷され、身分証が作成される。
以下、リライタブルフィルム５３が貼付されたＩＣカード５をリライタブルＩＣカードと称する。
【００３１】
なお、図２（Ａ）には、アンテナ５２を内蔵した非接触型のＩＣカードの例を示したが、リライタブルフィルム５３が貼り付けられていない面にＩＣチップ５１を露出させることにより、接触型のＩＣカードとしてもよい。
また、図２（Ｂ）では、リライタブルフィルム５３をＩＣカード５の一面全体に貼り付けた例を示しているが、身分証としての情報が印刷される領域だけにリライタブルフィルム５３を貼り付けるようにしてもよい。また、リライタブルフィルム５３をＩＣカード５の複数の面に貼り付けるようにしてもよい。
【００３２】
次に、本実施の形態に係るＩＣカード再利用システムを構成する身分証発行申請装置１、ＩＣカード再利用装置２、ユーザ認証装置３のそれぞれの構成を説明する。
図３は、身分証発行申請装置１の構成例を示すブロック図である。
身分証発行申請装置１は、図示するように、制御部１１と、入力部１２と、出力部１３と、入出力Ｉ／Ｆ部１４と、を含んで構成される。
【００３３】
制御部１１は、ＣＰＵ（Central Processing Unit）、ＲＯＭ（Read Only Memory）、ＲＡＭ（Random Access Memory）等から構成され、データの演算処理を行うと共に、身分証発行申請装置１の全体を制御する。制御部１１における演算処理及び制御処理は、具体的には、ＣＰＵが、ＲＡＭを作業領域として使用して各種データを一時的に記憶させながら、ＲＯＭに記憶されている制御プログラムを実行することにより行われる。
【００３４】
入力部１２は、様々な情報を入力するために使用されるものであり、キーボード、マウス、スキャナ等の入力装置を備える。例えば、入力部１２には、身分証の作成に必要な情報が入力される。具体的には、キーボードからは、身分証の所持者となる身分の証明を受ける者の氏名、その者を識別するための個人識別情報である個人ＩＤ等が入力される。また、スキャナからは、身分の証明を受ける者の顔写真データ等が入力される。
【００３５】
出力部１３は、様々な情報を出力するものであり、ディスプレイ等の表示装置を備える。例えば、出力部１３には、身分証の作成に必要な情報を入力するために使用される身分証発行申請用画面等が表示される。
【００３６】
入出力Ｉ／Ｆ部１４は、ＩＣカード再利用装置２を接続するためのインタフェースである。例えば、入出力Ｉ／Ｆ部１４は、ＩＣカード再利用装置２とパラレルケーブル等で接続され、制御部１１が、入力部１２に入力される情報等からなる身分証発行申請情報を、入出力Ｉ／Ｆ部１４を介してＩＣカード再利用装置２に出力する。
【００３７】
身分証発行申請装置１においては、以上説明した入力部１２、出力部１３、入出力Ｉ／Ｆ部１４等を、制御部１１が、ＲＯＭ等に記憶されている制御プログラムに従って制御することにより、身分証の作成に必要な情報が入力される際の処理や、身分証発行申請情報をＩＣカード再利用装置２へ出力する処理等が行われる。
【００３８】
図４は、ＩＣカード再利用装置２の構成例を示すブロック図である。
ＩＣカード再利用装置２は、図示するように、制御部２１と、入出力Ｉ／Ｆ部２２と、リライタブルフィルム印刷部２３と、ＩＣ書換部２４と、身分証発行部２５と、身分証返却部２６と、ＩＣカード保管部２７と、通信部２８と、を含んで構成される。
【００３９】
制御部２１は、ＣＰＵ、ＲＯＭ、ＲＡＭ等から構成され、データの演算処理を行うと共に、ＩＣカード再利用装置２の全体を制御する。
【００４０】
入出力Ｉ／Ｆ部２２は、身分証発行申請装置１を接続するためのインタフェースである。例えば、入出力Ｉ／Ｆ部２２は、身分証発行申請装置１の入出力Ｉ／Ｆ部１４とパラレルケーブル等で接続され、身分証発行申請装置１から身分証発行申請情報が入力される。
【００４１】
リライタブルフィルム印刷部２３は、リライタブルフィルム５３に対する印刷及び印刷の消去を行う。例えば、身分証の作成時には、リライタブルフィルム印刷部２３は、ＩＣカード５に貼り付けられているリライタブルフィルム５３に、入出力Ｉ／Ｆ部２２に入力された身分の証明を受ける者の氏名や顔写真データ等を身分証情報として印刷する。また、身分証からの情報の消去時には、リライタブルフィルム印刷部２３は、リライタブルフィルム５３に印刷されている身分証情報を消去する。
【００４２】
ＩＣ書換部２４は、ＩＣカード５に埋め込まれているＩＣチップ５１に対する情報の読み書きを行うＩＣカードリーダ・ライタを備え、ＩＣチップ５１への情報の書き込み、ＩＣチップ５１に書き込まれている情報の消去、ＩＣチップ５１に書き込まれている情報の読み出し等を行う。例えば、身分証の作成時には、ＩＣ書換部２４は、入出力Ｉ／Ｆ部２２に入力された身分の証明を受ける者の個人識別情報をＩＣチップ５１に書き込む。また、身分証からの情報の消去時には、ＩＣ書換部２４は、ＩＣチップ５１に書き込まれている個人識別情報を消去する。
【００４３】
身分証発行部２５は、身分証発行口を備え、ＩＣカード再利用装置２において作成された身分証を身分証発行口からＩＣカード再利用装置２の外部に排出することにより、身分証の発行を行う。例えば、身分証発行部２５は、入出力Ｉ／Ｆ部２２に入力された身分証発行申請情報に基づいてリライタブルフィルム印刷部２３で身分証情報が印刷され、ＩＣ書換部２４で個人識別情報が書き込まれたリライタブルＩＣカードを、身分証として身分証発行口から排出する。
【００４４】
身分証返却部２６は、身分証返却口を備え、ＩＣカード再利用装置２の外部から身分証返却口に挿入されるＩＣカードの身分証を取得する。例えば、身分の証明を受ける者の身分の期限が満了したこと等により不要になった身分証を、身分証の管理担当者が回収し、身分証返却口に挿入することにより、身分証返却部２６は、不要になった身分証を取得する。
【００４５】
ＩＣカード保管部２７は、ＩＣチップ５１に情報が書き込まれておらず、リライタブルフィルム５３に印刷が施されていないリライタブルＩＣカードを保管する。例えば、ＩＣカード保管部２７には、身分証としての情報が未だ書き込まれていないリライタブルＩＣカードが、身分証の作成のために、身分証の管理担当者等により格納される。また、ＩＣカード保管部２７は、身分証返却部２６が取得した身分証であって、リライタブルフィルム印刷部２３で印刷が消去され、ＩＣ書換部２４でＩＣチップ５１に書き込まれている情報が消去されたリライタブルＩＣカードを、身分証として再利用するために保管する。
【００４６】
通信部２８は、通信ネットワーク４を介してユーザ認証装置３と通信を行うものであり、通信インタフェース等を備える。例えば、通信部２８は、身分証が作成された時には、身分証を作成した旨を示す情報とともに個人識別情報を送信することにより、作成された身分証のＩＣチップ５１に書き込まれた個人識別情報等を通信ネットワーク４を介してユーザ認証装置３に送信する。また、身分証から情報を消去した時には、身分証から情報を消去した旨を示す情報とともに個人識別情報を送信することにより、消去した個人識別情報等をユーザ認証装置３に送信する。
【００４７】
ＩＣカード再利用装置２においては、以上説明した入出力Ｉ／Ｆ部２２、リライタブルフィルム印刷部２３、ＩＣ書換部２４、身分証発行部２５、身分証返却部２６、ＩＣカード保管部２７、通信部２８等を、制御部２１が、ＲＯＭ等に記憶されている制御プログラムに従って制御することにより、身分証の作成処理や身分証からの情報消去処理等が行われる。
【００４８】
図５は、ユーザ認証装置３の構成例を示すブロック図である。
ユーザ認証装置３は、図示するように、制御部３１と、通信部３２と、ＩＣカード読取部３３と、記憶部３４と、入出力Ｉ／Ｆ部３５と、を含んで構成される。
【００４９】
制御部３１は、ＣＰＵ、ＲＯＭ、ＲＡＭ等から構成され、データの演算処理を行うと共に、ユーザ認証装置３の全体を制御する。
【００５０】
通信部３２は、通信ネットワーク４を介してＩＣカード再利用装置２と通信を行うものであり、通信インタフェース等を備える。例えば、通信部３２は、ＩＣカード再利用装置２から、ＩＣカードの身分証に書き込まれた個人識別情報や、ＩＣカードの身分証から消去された個人識別情報等を受信する。
【００５１】
ＩＣカード読取部３３は、ＩＣカードに記憶されている情報を読み取るＩＣカードリーダを備え、ＩＣカードが近づけられるとＩＣカードに書き込まれている情報を読み取る。
【００５２】
記憶部３４は、様々な情報やプログラム等を記憶するものであり、ハードディスク等の補助記憶装置を備える。また、記憶部３４は、ＩＣカードの身分証を用いてＩＣカード関連システムにおけるユーザ認証を行うためのユーザ認証データベース３４１を格納している。
【００５３】
ユーザ認証データベース３４１には、例えば、ＩＣカード関連システムの利用権限を有する者の個人識別情報が記憶される。
そして、ユーザ認証装置３におけるユーザ認証は、例えば、ＩＣカード読取部３３によりＩＣカードの身分証から読み取られた個人識別情報がユーザ認証データベース３４１に記憶されているか否かを判別することにより行われる。
【００５４】
具体的には、ＩＣカードの身分証所持者がＩＣカードリーダに身分証に近づけると、ＩＣカード読取部３３がその身分証から個人識別情報を読み取る。ＩＣカード読取部３３で個人識別情報が読み取られると、制御部３１は、ユーザ認証データベース３４１を参照し、読み取られた個人識別情報がユーザ認証データベース３４１に存在するか否かを判別する。そして、制御部３１は、存在する場合には、その身分証の所持者はＩＣカード関連システムの利用権限を有していると判断し、存在しない場合には利用権限を有していないと判断する。
【００５５】
また、ユーザ認証データベース３４１は、通信部３２が個人識別情報を受信すると更新される。
具体的には、制御部３１は、通信部３２がＩＣカードの身分証に書き込まれた個人識別情報を受信すると、その個人識別情報をユーザ認証データベース３４１に追加登録する。また、制御部３１は、通信部３２がＩＣカードの身分証から削除された個人識別情報を受信すると、その個人識別情報をユーザ認証データベース３４１から削除する。
【００５６】
このように、ユーザ認証データベース３４１に記憶されている個人識別情報は、その個人識別情報に対応する身分証が返却されると削除される。
そのため、例えば、ＩＣチップ５１内のデータが不正にコピーされること等により不正な身分証が作成され、正当な身分証が返却された後にそのような不正な身分証が使用されたような場合には、その不正な身分証の所持者にはＩＣカード関連システムの利用権限が認められることははく、システムのセキュリティを高めることができる。
【００５７】
なお、ユーザ認証を行うにあたっては、さらに、ＩＣカードの身分証に書き込まれる他の情報に基づくユーザ認証を行ってもよい。
具体的には、例えば、身分証作成時に個人識別情報に加えて所定の身分識別情報をＩＣチップ５１に書き込み、記憶部３４が、その身分識別情報毎に利用権限の有無を記憶する身分認証データベースを備えるようにし、ユーザ認証データベース３４１によるユーザ認証に加えて、この身分認証データベースによるユーザ認証を行うようにすればよい。
【００５８】
例えば、利用権限が認められるＡと認められないＢとの二種類の身分識別情報があり、身分証の作成に際してそのうちの一つがＩＣチップ５１に書き込まれる場合には、ユーザ認証において、返却されておらず且つＡの身分識別情報が書き込まれているＩＣカードの身分証の所持者にのみＩＣカード関連システムの利用を認めるようにすることができる。
【００５９】
入出力Ｉ／Ｆ部３５は、ＩＣカード関連システムを接続するためのインタフェースである。例えば、制御部３１は、ユーザ認証の結果を入出力Ｉ／Ｆ部３５を介してＩＣカード関連システムに出力する。ＩＣカード関連システムでは、ユーザ認証の結果に基づき、身分証所持者に対する利用の許可動作や禁止動作等を行う。
【００６０】
ユーザ認証装置３においては、以上説明した通信部３２、ＩＣカード読取部３３、記憶部３４、入出力Ｉ／Ｆ部３５等を、制御部３１が、ＲＯＭ等に記憶されている制御プログラムに従って制御することにより、ユーザ認証データベース３４１の更新処理やＩＣカードの身分証を用いたユーザ認証処理等が行われる。
【００６１】
次に、身分証に利用されるリライタブルＩＣカードを、本実施の形態に係るＩＣカード再利用システムにより再利用する動作について説明する。
なお、ここでは、従業者を識別するための従業者ＩＤを従業者毎に個別に付与する会社等において、この従業者ＩＤを身分の証明を受ける者の個人識別情報として、従業者毎に身分証が発行される場合を例にとり説明する。
【００６２】
まず、身分証作成時の動作を説明する。
図６は、ＩＣカードの再利用動作における身分証作成時の動作を示す手順説明図である。
新規従業者に身分証を発行する場合、まず、身分証発行申請装置１において、例えば身分証の管理担当者が身分証の発行の申請を行う。
【００６３】
この場合、身分証発行申請装置１の入力部１２は、身分証の発行に必要な従業者情報の入力を受け付ける（ステップＳ１１）。具体的には、例えば、身分証の管理担当者により、入力部１２に、従業者情報として、従業者の氏名、従業者ＩＤ、顔写真データ等が入力される。
そして、身分証発行申請装置１の制御部１１は、入力部１２に入力された従業者情報を、入出力Ｉ／Ｆ部１４からＩＣカード再利用装置２に出力する（ステップＳ１２）。
【００６４】
ＩＣカード再利用装置２では、入出力Ｉ／Ｆ部２２に身分証発行申請装置１からの従業者情報が入力されると、入力された従業者情報に基づき、制御部２１が身分証の作成処理を行う。
この場合、制御部２１は、まず、ＩＣカード保管部２７に保管されているリライタブルＩＣカードを取り出し、リライタブルフィルム印刷部２３に送出する（ステップＳ１３）。
【００６５】
次に、制御部２１は、リライタブルフィルム印刷部２３を制御して、リライタブルＩＣカードのリライタブルフィルム５３に身分証情報の券面印刷を行い、印刷が施されたリライタブルＩＣカードをＩＣ書換部２４に送出する（ステップＳ１４）。具体的には、制御部２１は、入出力Ｉ／Ｆ部２２に入力された従業者の氏名、顔写真等の身分証としての券面印刷事項を、リライタブルフィルム５３に印刷する。
【００６６】
次に、制御部２１は、ＩＣ書換部２４を制御して、リライタブルＩＣカードのＩＣチップ５１に個人識別情報を書き込み、情報が書き込まれたリライタブルＩＣカードを身分証発行部２５に送出する（ステップＳ１５）。具体的には、制御部２１は、入出力Ｉ／Ｆ部２２に入力された従業者ＩＤを個人識別情報としてＩＣチップ５１に記録する。
【００６７】
続いて、制御部２１は、通信部２８を制御して、ＩＣ書換部２４においてＩＣチップ５１に書き込んだ個人識別情報を、ユーザ認証装置３に送信する（ステップＳ１６）。具体的には、制御部２１は、ＩＣ書換部２４においてＩＣチップ５１に記録した従業者ＩＤを個人識別情報として、身分証を作成した旨を示す作成済み情報とともに、ユーザ認証装置３に送信する。
【００６８】
また、制御部２１は、身分証発行部２５を制御して、作成された身分証の発行を行う（ステップＳ１７）。具体的には、制御部２１は、リライタブルフィルム５３に身分証情報が印刷されて、ＩＣチップ５１に従業者ＩＤが記録されたリライタブルＩＣカードを、身分証として身分証発行口から排出する。
新規従業者は、発行された身分証を取得する。
【００６９】
ユーザ認証装置３では、通信部３２が身分証に書き込まれた個人識別情報を受信すると、制御部３１が、受信した個人識別情報を記憶部３４のユーザ認証データベース３４１に登録する（ステップＳ１８）。具体的には、通信部３２が作成済み情報とともに従業者ＩＤを受信すると、制御部３１は、受信した従業者ＩＤをユーザ認証データベース３４１に追加して記録する。
このユーザ認証データベース３４１への登録により、発行された身分証を取得した新規従業者は、身分証を用いてユーザ認証システムを利用することができるようになる。
【００７０】
次に、身分証からの情報消去時の動作を説明する。
図７は、ＩＣカードの再利用動作における身分証からの情報消去時の動作を示す手順説明図である。
例えば、従業者は、契約期間の満了等によりリライタブルＩＣカードを利用した身分証が不要になった場合には、その身分証をＩＣカード再利用装置２の身分証返却口に挿入すること等により、不要な身分証の返却を行う。
【００７１】
この場合、ＩＣカード再利用装置２の身分証返却部２６はリライタブルＩＣカードの身分証の返却を受け付けて、取得し、制御部２１は、取得した身分証をリライタブルフィルム印刷部２３に送出する（ステップＳ２１）。
【００７２】
次に、制御部２１は、リライタブルフィルム印刷部２３を制御して、リライタブルＩＣカードのリライタブルフィルム５３に施されている印刷を消去し、印刷が消去されたリライタブルＩＣカードをＩＣ書換部２４に送出する（ステップＳ２２）。
【００７３】
次に、制御部２１は、ＩＣ書換部２４を制御し、リライタブルＩＣカードのＩＣチップ５１に書き込まれている個人識別情報としての従業者ＩＤを読み取った後、ＩＣチップ５１に書き込まれている情報を消去し、書き込み情報が消去されたリライタブルＩＣカードをＩＣカード保管部２７に送出する（ステップＳ２３）。
【００７４】
続いて、制御部２１は、通信部２８を制御して、ＩＣ書換部２４においてＩＣチップ５１から消去した個人識別情報を、ユーザ認証装置３に送信する（ステップＳ２４）。具体的には、制御部２１は、ＩＣ書換部２４において消去する前に読み取った従業者ＩＤを、身分証から情報を消去した旨を示す情報である消去済み情報とともに、ユーザ認証装置３に送信する。
【００７５】
また、制御部２１は、リライタブルフィルム５３の印刷が消去され、ＩＣチップ５１の書き込み情報が消去されたリライタブルＩＣカードを、ＩＣカード保管部２７に保管する（ステップＳ２５）。
このステップＳ２５で保管したリライタブルＩＣカードを、図６のステップＳ１３のＩＣカード取り出し処理において取り出すことにより、身分証として利用されるＩＣカードを再利用することができる。
【００７６】
ユーザ認証装置３では、通信部３２が、消去された個人識別情報を受信すると、制御部３１が、受信した個人識別情報を記憶部３４のユーザ認証データベース３４１から削除する（ステップＳ２６）。具体的には、通信部３２が消去済み情報とともに従業者ＩＤを受信すると、受信した従業者ＩＤをユーザ認証データベース３４１から削除する。
これにより、以後は、返却により身分証から消去された従業者ＩＤが、例えば不正な操作等によりＩＣカード読取部３３において読み取られた場合であっても、ユーザ認証データベース３４１を参照したユーザ認証において利用権限が認められることはなく、セキュリティを確保しながらＩＣカードを再利用することができる。
【００７７】
なお、上述したＩＣカードの再利用動作の手順は一例であり、これに限定されるものではない。例えば、図６のステップＳ１４及びＳ１５においては、券面印刷を行った後に情報の書き込みをしているが、情報の書き込み後に券面印刷を行ってもよい。また、図７のステップＳ２２及びＳ２３において、書き込み情報の消去後に印刷消去を行ってもよい。
さらに、図６のステップＳ１６及びＳ１７においては、情報の送信後、身分証の発行を行っているが、身分証発行後に情報送信を行ってもよい。また、図７のステップＳ２４及びＳ２５において、ＩＣカードの保管後に情報送信を行ってもよい。
【００７８】
以上説明したように、本実施の形態では、身分証に利用されるＩＣカードを再利用するために、身分証の作成時には、新規従業者用にＩＣカードに券面印刷を行い、同時にＩＣチップへのデータの書き込み、関連システムへの通知を行う。また、従業者契約満了時には、ＩＣカードを利用した身分証を回収して券面印刷を消去し、同時にＩＣチップのデータ消去、関連システムへの通知を行う。
【００７９】
そして、ＩＣカードにリライタブルフィルムを貼り付けるため、身分証としての券面印刷事項を書き換えることができる。つまり、身分証にリライタブルなＩＣカードを採用しているため、顔写真や氏名等の券面印刷及びその券面消去を容易に行うことができる。
【００８０】
また、券面印刷事項の書き換えと同時に、ＩＣチップへの書き込み情報についても、身分の証明を受ける者自体の情報を変更することができる。
さらに、入退室システム等のＩＣカード関連システムへの情報連携も同時に行う。具体的には、ＩＣカードの券面印刷時及び券面消去時に、ＩＣカードが記憶している情報の更新及び関連システムとの連携を実施し、ＩＣカードの機能を維持しながら、ＩＣカードのリサイクルを行う。
これにより、身分証用のＩＣカードを破棄せずに、ＩＣカードに記憶される「身分の証明を受ける者」自体の情報を変更しつつ、再利用し続けることができる。
【００８１】
本実施の形態によれば、身分証として利用されたＩＣカードを別の身分証として再利用できる。このため、身分証として利用されたＩＣカードを廃棄する必要がなくなり、ゴミの発生を抑制することができる。また、ＩＣカードの再利用により、新規にＩＣカードを購入する費用を削減することができる。
【００８２】
また、身分証の券面印刷は、ＩＣカードに対して直接行われるのではなく、ＩＣカードに貼り付けられているリライタブルフィルムを利用して行われる。このため、身分証を発行するたびに券面印刷に必要であったインク等の消耗品が不要になり、安価に身分証を作成することができる。特に、短期の派遣社員等の採用が多いために身分証の使用期間が短い企業等が、本実施の形態に係るＩＣカード再利用システムを実施した場合には、身分証の作成にかかる費用を大きく節約することができる。
【００８３】
また、身分証として利用したＩＣカードの再利用により、身分証の回収や所持管理が徹底され、回収時の関連システムへの通知も徹底される。
【００８４】
以上、本発明の実施の形態を説明したが、本発明を実施するにあたっては、種々の形態による変形及び応用が可能であり、上記実施の形態に限られるものではない。
例えば、上記実施の形態では、身分証として利用されるＩＣカードを再利用する場合を例に挙げて説明した。しかし、本発明は、身分証に限定されるものではなく、社員証、学生証、会員証等のような、所持者を識別するための所持者識別証としての機能を有するものであればよい。
【００８５】
また、上記実施の形態では、再利用する情報記録媒体としてＩＣカードを例に挙げて説明した。しかし、本発明は、ＩＣカードに限定されるものではなく、情報を電磁的に記録することができるものであればよく、磁気カード等の他の情報記録媒体であってもよい。その場合には、上記実施の形態で説明したＩＣ書換部２４、ＩＣカード読取部３３等が備えるカードリーダ・ライタ等を情報記録媒体の種類に応じて適宜交換すればよい。
【００８６】
また、上記実施の形態では、身分証の返却により情報消去が行われた場合に、ユーザ認証データベース３４１から個人識別情報を消去するようにしているが、消去しなくても、身分証が関連システムで利用できなくなればよい。例えば、身分証から情報が消去された場合には、ユーザ認証データベース３４１が記憶している個人識別情報に関連付けて消去済み情報を記録するようにし、ユーザ認証においてこの消去済み情報をも確認するようにすればよい。
【図面の簡単な説明】
【００８７】
【図１】本発明の実施の形態に係るＩＣカード再利用システムの構成例を示すブロック図である。
【図２】本発明の実施の形態に係るＩＣカード再利用システムで再利用されるＩＣカードを説明するための図である。
【図３】図１の身分証発行申請装置の構成例を示すブロック図である。
【図４】図１のＩＣカード再利用装置の構成例を示すブロック図である。
【図５】図１のユーザ認証装置の構成例を示すブロック図である。
【図６】ＩＣカードの再利用動作における身分証作成時の動作を示す手順説明図である。
【図７】ＩＣカードの再利用動作における身分証からの情報消去時の動作を示す手順説明図である。
【符号の説明】
【００８８】
１  身分証発行申請装置
２  ＩＣカード再利用装置
３  ユーザ認証装置
４  通信ネットワーク
５  ＩＣカード
１１，２１，３１  制御部
１２  入力部
１３  出力部
１４，２２，３５  入出力Ｉ／Ｆ部
２３  リライタブルフィルム印刷部
２４  ＩＣ書換部
２５  身分証発行部
２６  身分証返却部
２７  ＩＣカード保管部
２８，３２  通信部
３３  ＩＣカード読取部
３４  記憶部
５１  ＩＣチップ
５２  アンテナ
５３  リライタブルフィルム
３４１  ユーザ認証データベース
【図１】
2007058572.tif 000003
【図２】
2007058572.tif 000004
【図３】
2007058572.tif 000005
【図４】
2007058572.tif 000006
【図５】
2007058572.tif 000007
【図６】
2007058572.tif 000008
【図７】
2007058572.tif 000009